(57)【要約】  少なくとももう１つの通信パートナ機器との通信システム用の通信パートナ機器（３、４０）として提供されるデータ・キャリア（２）において、第１の通信モードまたは第２の通信モードがアクティべートされ得る。受信搬送波信号（ＲＳ）の存在を検出する検出装置（３２）は、搬送波信号（ＲＳ）が存在している場合は搬送波信号存在信号（ＰＳ）を送信し、そうでない場合は搬送波信号不在信号（ＮＰＳ）を送信する。搬送波信号（ＲＳ）を用いて送信され得る通信信号は、コマンド信号の終了が出現した後、所与の測定時点で、搬送波信号存在信号（ＰＳ）が存在しているかどうかを決定するために決定ステージ（２７）をトリガする。搬送波信号存在信号（ＰＳ）が存在している場合、データ・キャリア（２）は、アクティベータ（３０、３５）を用いて第１の通信モードにされ、そうでない場合は第２の通信モードにされる。
2007517423.tif 000002
【特許請求の範囲】
【請求項１】
非接触型通信用にデータ・キャリアとして設計されている通信パートナ機器用に提供される回路であって、この通信パートナ機器は、少なくとももう１つの通信パートナ機器との通信システム用に提供され、この回路において、第１の通信モードまたは第２の通信モードをアクティベートすることができ、この回路は、以下に列挙した手段、すなわち
前記第１の通信モードまたは前記第２の通信モードをアクティべートするアクティベータと、
少なくとももう１つの通信パートナ機器によって送信される搬送波信号を受信する受信手段と、
前記受信搬送波信号（ＲＳ）の存在を検出する検出器であって、前記搬送波信号が存在している場合は搬送波信号存在信号（ＰＳ）を送信し、そうでない場合は搬送波信号不在信号（ＮＰＳ）を送信する検出器と、
前記搬送波信号（ＲＳ）を用いて送信され得るコマンド信号を認識し、前記送信コマンド信号の終了を表すコマンド終了信号（ＣＥＳ）を送信するコマンド信号認識手段と、
前記コマンド終了信号（ＣＥＳ）の出現後、所与の測定時点で、前記搬送波信号存在信号（ＰＳ）が存在しているかどうかを決定する決定手段であって、前記搬送波信号存在信号が存在しているときは第１のアクティベーション信号（ＡＳ１）が送信され、そうでない場合は第２のアクティベーション信号（ＡＳ２）を送信することができ、第１のアクティベーション信号（ＡＳ１）により、前記アクティベータを用いて回路を前記第１の通信モードにすることができ、第２のアクティベーション信号（ＡＳ２）により、前記アクティベータを用いて回路を第２の通信モードにすることができる決定手段と
を有する回路。
【請求項２】
前記アクティベータが前記第１の通信モードとしての受動通信モード、および前記第２の通信モードとしての能動通信モードをアクティべートするように設計されており、前記能動通信モードの場合、前記搬送波信号（ＲＳ）に依存しない前記回路の電源が提供され、前記受動通信モードの場合、前記搬送波信号に依存する前記回路の電源が提供される請求項０に記載の回路。
【請求項３】
専用の電源のためにバッテリまたは蓄電池が提供される請求項０に記載の回路。
【請求項４】
データ・キャリアとして設計され、請求項０から０のいずれか１項に記載の回路を備える通信パートナ機器。
【請求項５】
非接触型通信用に通信局として設計されている通信パートナ機器用に提供される回路であって、この通信パートナ機器は、少なくとももう１つの通信パートナ機器との通信システム用に提供され、このもう１つの通信パートナ機器において、第１の通信モードまたは第２の通信モードをアクティベートすることができ、この回路は、以下に列挙した手段、すなわち
搬送波信号（ＲＳ）を生成する生成手段と、
前記搬送波信号（ＲＳ）を前記もう１つの通信パートナ機器に送信する送信手段と、
通信モードをアレンジするアレンジ手段と、
少なくとも１つのコマンド信号を生成する生成器であって、コマンド信号は前記搬送波信号（ＲＳ）を用いて前記もう１つの通信パートナ機器に送信され得る生成器と、
前記生成されたコマンド信号の前記終了を表すコマンド終了信号（ＣＥＳ）を送信する第１の制御要素と、
第２の制御要素であって、この第２の制御要素により、前記コマンド終了信号（ＣＥＳ）の出現後、前記搬送波信号（ＲＳ）の生成および／または送信がある特定の時点（ｔ４）で終了され得る第２の制御要素と
を含む回路。
【請求項６】
前記アレンジ手段が能動通信モードまたは受動通信モードの任意のアレンジのために設計され、能動通信モードで、前記もう１つの通信パートナ機器は、前記搬送波信号（ＲＳ）に依存しない電源を有し、受動通信モードで、前記もう１つの通信パートナ機器は、前記搬送波信号（ＲＳ）に依存する電源を有する請求項０に記載の回路。
【請求項７】
エネルギー源認識手段が提供され、これらのエネルギー源認識手段が電力を前記回路に供給するエネルギー源を認識するようにされ、このエネルギー源認識手段により、エネルギー源認識信号が、認識された前記エネルギー源に応じて送信されることができ、前記アレンジ手段が、前記エネルギー源認識信号に応じて前記通信モードをアレンジするように設計される請求項０または０に記載の回路。
【請求項８】
前記もう１つの通信パートナ機器によって送信された応答信号（ＴＳ）を検出する応答信号検出器が提供され、検出の過程で、切り替え信号（ＵＳ）を生成することができ、前記アレンジ手段が、生成された前記切り替え信号（ＵＳ）に応じて前記通信モードを自動的にアレンジするように設計されている請求項０に記載の回路。
【請求項９】
前記アレンジされた通信モードに応じて、前記搬送波信号（ＲＳ）の信号強度に影響を与える影響手段が提供される請求項０に記載の回路。
【請求項１０】
通信局として設計され、請求項０から０のいずれか１項に記載の回路を備える通信パートナ機器。
【請求項１１】
通信パートナ機器の第１の通信モードまたは第２の通信モードをアクティべートする方法であって、前記通信パートナ機器は、少なくとももう１つの通信パートナ機器との通信システム用に提供され、搬送波信号は、前記少なくとももう１つの通信パートナ機器によって送信され、この搬送波信号は、前記通信パートナ機器により受信され、
前記通信パートナ機器において、前記受信搬送波信号（ＲＳ）の存在の検出が行われ、前記搬送波信号（ＲＳ）が存在する場合、搬送波信号存在信号（ＰＳ）が送信され、そうでない場合は搬送波信号不在信号（ＮＰＳ）が送信され、
前記搬送波信号（ＲＳ）を用いて送信され得るコマンド信号（ＩＣＯ）の認識が行われ、前記送信コマンド信号（ＩＣＯ）の終了を表すコマンド終了信号（ＣＥＳ）の送信が行われ、
前記コマンド終了信号（ＣＥＳ）の出現後、ある測定時点（ｔｓ）で、前記搬送波信号存在信号（ＰＳ）が存在しているかどうかを確認するために決定が行われ、前記搬送波信号存在信号（ＰＳ）が存在しているときは第１のアクティベーション信号（ＡＳ１）が送信され、そうでない場合、第２のアクティベーション信号（ＡＳ２）が送信され、前記第１のアクティベーション信号（ＡＳ１）により、前記通信パートナ機器の前記第１のモードへのアクティベーションが行われ、または前記第２のアクティベーション信号（ＡＳ２）により、前記通信パートナ機器の前記第２の通信モードへのアクティベーションが行われる
方法。
【請求項１２】
請求項０から０のいずれか１項に記載の回路、および請求項０から０のいずれか１項に記載の回路を有する装置。
【請求項１３】
請求項０から０のいずれか１項に記載の前記回路、および請求項０から０のいずれか１項に記載の前記回路が単一の回路で実現される請求項０に記載の装置。
【発明の詳細な説明】
【技術分野】
【０００１】
本発明は回路に関し、この回路は、非接触型通信用に設計されている通信パートナ機器用に提供され、この通信パートナ機器は、少なくとももう１つの通信パートナ機器との通信システム用に提供され、この回路により、第１の通信モードまたは第２の通信モードがアクティベートされ得る。
【０００２】
本発明はさらに、データ・キャリアとして設計され、第１段落で上述したような回路を含む通信パートナ機器に関する。
【０００３】
本発明はさらに回路に関し、この回路は、非接触型通信用に設計されている通信パートナ機器用に提供され、この通信パートナ機器は、少なくとももう１つの通信パートナ機器との通信システム用に提供され、この回路は、後述する手段、すなわち搬送波信号を生成する生成手段、および搬送波信号を別の通信パートナ機器に送信する送信手段を含む。
【０００４】
本発明はさらに、通信局として設計され、第３段落に上述したような回路を含む通信パートナ機器に関する。
【０００５】
本発明はさらに、通信パートナ機器の第１の通信モードまたは第２の通信モードをアクティベートする方法に関し、通信パートナ機器は、少なくとももう１つの通信パートナ機器との通信システム用に提供され、搬送波信号は、少なくとももう１つの通信パートナ機器によって送信され、この搬送波信号は、通信パートナ機器により受信される。
【背景技術】
【０００６】
上記の第１段落に記載したタイプのこうした回路、およびこうした回路およびこうした方法を有する第２段落の最初に記載したタイプのこうした通信パートナ機器は、米国特許第６，４６６，７７１号明細書で知られている。一実施形態では、既知の文献は、回路を備える中継器を開示しており、中継器および／または回路は、つまり受動通信モードと能動通信モードとの切り替えが可能なように設計されている。また、この文献から、別の通信パートナ機器が搬送波信号を送信する読取局（reader station）または通信局として設計されていることも知られている。
【０００７】
中継器の場合、能動通信モードの場合は、搬送波信号に依存しない回路用電源が提供され、受動通信モードの場合は、知られているように搬送波信号に依存する回路用電源が提供されている。既知の中継器または既知の回路は、コマンド信号を認識し、処理するコマンド信号認識手段を有し、これらのコマンド信号は、別の通信パートナ機器で生成され、搬送波信号を用いて送信される。受動通信モードと能動通信モードとの切り替えは、別の通信パートナ機器によって送信され、切り替えコマンド信号として設計される特別なコマンド信号により行われる。
【０００８】
この既知の中継器および方法の場合の欠点は、他の通信システム、例えば読取局が切り替えコマンド信号を生成したり送信したりすることができない通信システムなどにおいて配置または使いやすさの所望の柔軟性が制限を受けやすい、または可能でないことである。
【０００９】
もう１つの欠点は、比較的大きく、複雑であり、したがって実際には中継器にも読取局にもエラーを起こしやすい制御構成が必要であるということである。
【発明の開示】
【発明が解決しようとする課題】
【００１０】
本発明の目的は、上述した欠点を取り除き、データ・キャリアとして設計された通信パートナ機器の改良された方法および改良された回路、データ・キャリアとして設計された改良された通信パートナ機器、通信局として設計された通信パートナ機器の改良された回路、および通信局として設計された改良された通信パートナ機器を実現することである。
【課題を解決するための手段】
【００１１】
上記の目的を達成するために、データ・キャリアとして設計されている本発明による通信パートナ機器用の回路の場合、本発明によるこうした回路が以降のように特徴付けられ得るように、本発明に従って特徴が提供される。
【００１２】
非接触型通信用にデータ・キャリアとして設計されている通信パートナ機器用に提供される回路であって、この通信パートナ機器は、少なくとももう１つの通信パートナ機器との通信システム用に提供され、この回路において、第１の通信モードまたは第２の通信モードをアクティベートすることができ、この回路は、以下に列挙した手段、すなわち
・第１の通信モードまたは第２の通信モードをアクティベートさせるアクティベータと、少なくとももう１つの通信パートナ機器によって送信される搬送波信号を受信する受信手段と、受信搬送波信号の存在を検出する検出器であって、搬送波信号が存在している場合は搬送波信号存在信号（carrier signal present signal）を送信し、そうでない場合は搬送波信号不在信号（carrier signal not-present signal）を送信する検出器と、搬送波信号を用いて送信され得るコマンド信号を認識し、送信コマンド信号の終了を表すコマンド終了信号（command-end signal）を送信するコマンド信号認識手段と、コマンド終了信号の出現後、所与の測定時点で、搬送波信号存在信号が存在しているかどうかを決定する決定手段であって、この決定手段により、搬送波信号存在信号が存在しているときは第１のアクティベーション信号を送信することができ、そうでない場合は第２のアクティベーション信号を送信することができ、第１のアクティベーション信号により、アクティベータを用いて回路を第１の通信モードにすることができ、第２のアクティベーション信号により、アクティベータを用いて回路を第２の通信モードにすることができる決定手段とを有する回路。
【００１３】
上記の目的を達成するために、さらにデータ・キャリアとして設計されている本発明による通信パートナ機器の場合、本発明によるこうした通信パートナ機器が以降のように特徴付けられ得るように、本発明に従って特徴が提供される。
【００１４】
データ・キャリアとして設計され、請求項１から３のいずれか１項に記載の回路を備える通信パートナ機器。
【００１５】
上記の目的を達成するために、さらに通信局として設計されている本発明による通信パートナ機器用の回路の場合、本発明によるこうした回路が以降のように特徴付けられ得るように、本発明に従って特徴が提供される。
【００１６】
非接触型通信用に通信局として設計されている通信パートナ機器用に提供される回路であって、この通信パートナ機器は、少なくとももう１つの通信パートナ機器との通信システム用に提供され、このもう１つの通信パートナ機器において、第１の通信モードまたは第２の通信モードをアクティベートすることができ、この回路は、以下に列挙した手段、すなわち
・搬送波信号を生成する生成手段、および搬送波信号をもう１つの通信パートナ機器に送信する送信手段と、
・通信モードをアレンジするアレンジ手段、および搬送波信号を用いてもう１つの通信パートナ機器に送信され得る少なくとも１つのコマンド信号を生成する生成器と、
・生成されたコマンド信号の終了を表すコマンド終了信号を送信する第１の制御要素、およびコマンド終了信号の出現後、搬送波信号の生成および／または送信が特定の時点で終了されるようにすることができる第２の制御要素と
を有する回路。
【００１７】
上記の目的を達成するために、さらに通信局として設計されている本発明による通信パートナ機器の場合、本発明によるこうした通信パートナ機器が以降のように特徴付けられ得るように、本発明に従って特徴が提供される。
【００１８】
通信局として設計され、請求項５から９のいずれか１項に記載の回路を備える通信パートナ機器。
【００１９】
上記の目的を達成するために、本発明による方法の場合、本発明による方法が以降のように特徴付けられ得るように、本発明に従って特徴が提供される。
【００２０】
通信パートナ機器の第１の通信モードまたは第２の通信モードをアクティべートする方法であって、通信パートナ機器は、少なくとももう１つの通信パートナ機器との通信システム用に提供され、搬送波信号は、少なくとももう１つの通信パートナ機器によって送信され、この搬送波信号は、通信パートナ機器により受信され、
・通信パートナ機器において、受信搬送波信号の存在の検出が行われ、搬送波信号が存在している場合、搬送波信号存在信号が送信され、そうでない場合は搬送波信号不在信号が送信され、搬送波信号を用いて送信され得るコマンド信号の認識が行われ、送信コマンド信号の終了を表すコマンド終了信号の送信が行われ、コマンド終了信号の出現後、ある測定時点で、搬送波信号存在信号が存在するかどうかを確認するための決定が行われ、搬送波信号存在信号が存在しているときは第１のアクティベーション信号が送信され、そうでない場合は第２のアクティベーション信号が送信され、第１のアクティベーション信号により、通信パートナ機器の第１の通信モードへのアクティベーションが行われ、または第２のアクティベーション信号により、通信パートナ機器の第２の通信モードへのアクティベーションが行われる。
【００２１】
本発明による特徴の提供により、本発明に従って、通信局として設計された通信パートナ機器が使用されている場合、通信システムにおいてデータ・キャリアとして設計された通信パートナ機器との通信を開始するとき、データ・キャリアとして設計された通信パートナ機器は、データ・キャリアとして設計された通信パートナ機器の通信応答が、どの通信モードで行われるべきか、すなわち例えば能動送信または通信モードで応答されるべきか、受動送信または通信モードで応答されるべきかを自動的に認識することが、有利で容易に実現される方法で達成される。さらに、本発明による対策のために、特に通信パートナ機器が通信局およびデータ・キャリアの両方として設計されている場合に利点が得られ、それにより、様々な通信システムにおける様々な配置が可能である。したがって、例えばいわゆる「近距離無線通信（ＮＦＣ）」システムにおいて、通信局およびデータ・キャリアの両方として設計されている２つの通信パートナ機器は、互いに通信することができ、２つの通信パートナ機器のうちの一方は、通信局としてアクティべートされ、もう一方の通信パートナ機器とデータを交換する。こうした通信パートナ機器は、ほとんど携帯装置として設計されており、携帯用電源を有する。こうした通信パートナ機器の場合のエネルギー消費を考慮した結果として、通信中に両方の通信パートナ機器が各自の電源をアクティベートさせたときに、最適なエネルギー節約型電源が得られることに留意されるべきである。一方、本発明によるこうした通信パートナ機器は、例えば入場監視システムに有利に使用されることができ、入場監視システムにより、入場監視通信局は、本発明に従ってデータ・キャリアとして設計されている通信パートナ機器と通信し、入場監視通信局は、固定電源を有し、言い換えれば、ある程度まで無尽蔵のエネルギー源があり、データ・キャリアは、受動通信モードで有利に通信することができ、したがってそれ自体のエネルギー源を保護し、それ自体のエネルギー源はエネルギー出力によって制限される。
【００２２】
本発明による通信局の場合、通信モードは、ユーザまたはサポート技術によって実行されるアレンジ・アクションによってアレンジすることができる。さらに、請求項７に記載の対策が提供される場合、特に有利であることがわかっている。これにより、通信モードの自動切り替えは、通信局の電源に応じて実行することができる。
【００２３】
本発明による通信局の場合、さらに、請求項８に記載の対策が提供される場合、有利であることが証明されている。これは、通信パートナ機器との通信における柔軟性をさらに提供する。例えば、能動通信モードの通信局によってデータ・キャリアへの問い合わせが行われ、［かつ］関連のデータ・キャリアが能動通信モードで通信するのに適したそれ自体の電源を有していないため、またはエネルギー源がある場合、この電源はもはや十分ではないためにこのデータ・キャリアが応答信号を発しない、または発することができず、欠如した応答信号の結果として、通信局において受動通信モードが設定される場合である。
【００２４】
本発明による通信局の場合、さらに、請求項９に記載の対策が提供される場合、有利であることがわかっている。これにより、通信パートナ機器の電源の好ましいエネルギーバランスが達成され得る。
【００２５】
本発明のこれらおよび他の態様は、以下に記載した実施形態から明らかになり、またそれらを参照して説明される。
【００２６】
本発明は、図面に示されている実施形態に基づいて、以下でより詳しく説明されるが、本発明は図面に制限されるものではない。
【発明を実施するための最良の形態】
【００２７】
図１は、破線で示されている通信エリアＣＡ内の通信パートナ機器との通信システム１を示している。簡略化のため、以下では、通信パートナ機器は、装置と呼ばれる。ここで、１つの装置がデータ・キャリア２として設計され、もう１つの装置が通信局または読取局３として設計されている。
【００２８】
読取局３は、データ・キャリア２との非接触型通信用に設計されている。データ・キャリア２は、回路４を有し、この回路４により、以下でより詳しく説明される第１の通信モードまたは第２の通信モードのいずれかがアクティベートされ得る。
【００２９】
この場合、読取局３は、携帯用小型コンピュータ、言い換えればＰＤＡの一部分であり、局回路（station circuit）５を含み、この局回路５は、集積回路として設計されており、局マイクロコンピュータ（station micro-computer）６を含む。局マイクロコンピュータ６は、中央処理ユニット７および局記憶媒体８を含み、この中央処理ユニット７および局記憶媒体８は、よく知られているように一緒に働く。局マイクロコンピュータ６は、さらに、図示されていないインターフェイス要素およびバス接続を用いてＰＤＡのメインコンピュータに接続されており、主要コンピュータと通信するように設計されている。
【００３０】
中央処理ユニット７を用いて、通信モードをアレンジするアレンジ手段９、少なくとも１つのコマンド信号を生成する生成器１０、および少なくとも１つの生成されたコマンド信号の終了を表すコマンド終了信号ＣＥＳを送信する第１の制御要素１１、および
・第２の制御要素１２、受信信号処理手段１３、およびシーケンス・コントローラ１４が実現される。これらの項目は、以下でより詳しく扱われる。
【００３１】
局回路５は、さらに、搬送波信号ＲＳを生成する生成手段１５、変調要素１６、および復調要素１７を有する。変調要素１６は、生成手段１５および生成器１０に接続され、コマンド信号により搬送波信号ＲＳを変調するように設計されている。また、局回路５には、図示していない暗号化要素が含まれており、暗号化要素は、変調要素１６の前に配列されており、変調前にそれぞれのコマンド信号の暗号化を実行する。
【００３２】
読取局３は、局送信手段１８を有し、これらの局送信手段１８は、送信機および受信機を共に形成し、送信の場合の通信エリアＣＡを画定し、この場合、通信局信号または読取信号ＲＳ’の送信のために１３．５６ＭＨｚの周波数で設計され、データ・キャリア２からのデータ搬送波信号ＴＳを受信するよう設計されている。ここで、局送信手段１８は、変調要素１６および復調要素１７に接続されている。こうした生成手段１５、変調要素１６、復調要素１７、局送信手段１８、および暗号化要素は、米国特許第５  ５３７  １０５  Ａｌなどから、当業者によく知られており、この開示は、本明細書に含まれるものとみなされる。
【００３３】
読取局３は、さらに蓄電池１９、外部電源接続２０、およびエネルギー源認識手段２１を有し、これらのエネルギー源認識手段２１は、蓄電池１９および外部電源接続２０に接続されており、電源電圧Ｖを局回路５に発するとともに、エネルギー源認識信号ＥＳＳをアレンジ手段９に発するように設計されている。この場合、エネルギー源認識手段２１は、電子切り替えスイッチとして設計されており、外部エネルギー源または外部電圧源が外部電源接続２０に存在する場合、この外部電圧電源は、局回路５にエネルギーまたは電圧を供給するように設計されており、この外部電圧源を表すエネルギー源認識信号ＥＳＳが発せられ、そうでなければ、蓄電池１９への切り替えが行われ、局回路５には蓄電池１９を用いて供給され、蓄電器１９を表すエネルギー源認識信号ＥＳＳが発せられる。
【００３４】
この場合、データ・キャリア２２は、携帯電話の一部分であり、すでに言及された回路４を含む。回路４は、集積回路として設計されており、マイクロコンピュータ２２を含む。マイクロコンピュータ２２は、中央処理ユニット２３および局記憶媒体２４を含み、この中央処理ユニット２３および局記憶媒体２４は、よく知られているように一緒に働く。
【００３５】
中央処理ユニット２３を用いて、読取局３の読取信号ＲＳ’を用いて送信され得るコマンド信号ＣＯＭを認識するコマンド信号認識手段２５、コマンド／応答コマンド生成器２６、決定手段２７、およびシーケンス・コントローラ２８が実現される。上述され、中央処理ユニット２３により実現される手段を以下でより詳しく扱うものとする。
【００３６】
回路４は、データ・キャリア２の搬送波信号ＴＳを生成し、発する発振器２９、第１の切り替え要素３０、変調要素３１、読取局３によって読取信号ＲＳ’として送信された、受信搬送波信号ＲＳの存在を検出する検出器３２、受信搬送波信号ＲＳを復調する復調要素３３、ＤＣ電圧生成手段３４、および電源切り替え要素３５も有する。
【００３７】
データ・キャリア２は、送信手段３６も有しており、これらの送信手段３６は、送信機および受信機を共に形成し、送信の場合、図示していないデータ・キャリアの通信エリアを画定し、データ・キャリアの通信エリアは読取局３を含む。また、データ・キャリア２には蓄電池３７も含まれており、この蓄電池３７は、電源切り替え要素３５に接続され、以下でより詳しく扱われる一方の通信モードでエネルギーまたは電圧を回路４に供給するよう働く。
【００３８】
携帯電話およびＰＤＡは、ＮＦＣ通信システム用のいわゆる「近距離無線通信」（ＮＦＣ）装置として設計されている。このＮＦＣ通信システムにおいて、携帯電話およびＰＤＡは、アクセスが平等な通信パートナ機器として設計されており、携帯電話およびＰＤＡはいずれもイニシエータの役割を引き受けることができ、２つの通信パートナ機器のうちの一方によってイニシエータの役割が引き受けられるとき、もう一方の通信パートナ機器はそれぞれ対象の役割を引き受ける。その結果、この場合、上述されたデータ・キャリア２および読取局３の機能は、２つのＮＦＣ装置のそれぞれに含まれ、ＮＦＣ装置ごとに、データ・キャリア２および読取局３の機能に必要なすべての構成要素がともに集積回路に含まれ、または実現される。これらすべての構成要素を２つの個別の回路に含むことができることに言及され得る。
【００３９】
２つのＮＦＣ装置のそれぞれ、または２つの設備（facilities）のそれぞれは、それぞれ想定された役割の通信プロトコルに従い、この通信プロトコルは、それぞれの記憶媒体に格納され、それぞれのシーケンス・コントローラを用いて実行される。この場合、対象の機能のために必要とされる通信プロトコルは、データ・キャリア２の記憶媒体２４の通信プロトコル記憶域３８に格納され、データ・キャリア２のシーケンス・コントローラ２８を用いて実行され得る。さらに、イニシエータの機能のために必要とされる通信プロトコルは、読取局３の局記憶媒体８の通信プロトコル記憶域に格納され、読取局３のシーケンス・コントローラ１４を用いて実行され得る。２つのＮＦＣ装置のそれぞれは、能動通信モードまたは受動通信モードで動作することができると予想され、対象については、能動通信モードの場合、搬送波信号ＲＳに依存しない回路４の電源が提供され、受動通信モードの場合、搬送波信号ＲＳに依存する回路４の電源が提供される。こうした能動および受動通信モードは、例えば２００２年１２月発行された標準ＥＣＭＡ−３４０（http://www.ecma.ch or http://www.ecma-international.org/）に記載されており、これに関するその開示は、参照により本明細書に組み込まれる。
【００４０】
こうしたＮＦＣ装置の有利な使用は、図２および図３に基づいて以下で説明される。
【００４１】
図２には、入場監視通信システム３９が示されており、この場合、ＰＤＡに含まれているデータ・キャリア２および読取局４０が示されている。読取局４０およびデータ・キャリア２は、標準ＩＳＯ／ＩＥＣ１４４４３、タイプＡ（ＭＩＦＡＲＥ）に定義されている通信プロトコルに従って非接触型通信用に設計されている。ここで、例えばＩＳＯ／ＩＥＣ１４４４３、タイプＢ、ＩＳＯ／ＩＥＣ１５６９３、ＩＳＯ／ＩＥＣ１８０００に従って、異なる通信プロトコルを適用することができることに言及され得る。読取局４０は、それ以上詳細に示されていないが、データ・キャリア２として設計されている装置と通信する通信要素を含み、これらの通信要素は、例えば米国特許第２００３０１２８１２４号明細書「Communication station for inventorizing transponders by means of selectable memory areas of the transponders」に開示されており、この開示は、参照により本明細書に組み込まれる。
【００４２】
この場合、入場監視通信システム３９は、地下鉄への入場を監視するよう働く。この例では、データ・キャリア２は、入場許可データを有し、これらの入場許可データは、地下鉄へのアクセス、したがって地下鉄の使用のために提供されている。読取局４０は、固定電源を有し、受動通信モードで作動される。読取局４０に適用されるような「受動通信モード」という用語は、読取局４０が離れて配置されているエネルギー源から供給されるためではなく、読取局４０の受動通信モードの場合、読取局４０と通信接続する少なくとも１つのデータ・キャリア２がその受動通信モードで作動されるために選択された。この場合、そこに配置されているデータ・キャリア２を備えるＰＤＡは、ＰＤＡのユーザにより、読取局４０の通信エリアＣＡ’に運ばれる。受動通信モードにより、読取局４０は、読取信号ＲＳを連続的に送信し、この読取信号ＲＳは、データ・キャリア２の送信手段３６によって受信され、検出器３２、復調要素３３、およびＤＣ電圧生成手段３４に送信される。ＤＣ電圧生成手段３４は、電源切り替え要素３５に接続され、よく知られているように供給電圧Ｖを送出するように設計されている。この場合、電源切り替え要素３５は、最初に、ＤＣ電圧生成手段３４によって送出され得る電圧が回路４に供給するよう働くように設計される。この場合、搬送波信号ＲＳ読取局４０が存在する場合、検出器３２は、搬送波信号存在信号ＰＳを決定手段２７に送信する。復調要素３３は、受信された読取信号ＲＳを復調し、読取信号ＲＳを用いて送信されたコマンド信号をコマンド信号認識手段２５に送信するように設計されている。例えば、この場合、インベントリ・コマンド信号（inventorizing command signal）ＩＣＯが送信される。コマンド信号認識手段２５は、決定手段２７に送信コマンド信号の終了を表すコマンド終了信号ＣＥＳを送信するよう設計されている。決定手段２７は、ここで、コマンド終了信号ＣＥＳの出現後、ある測定時点で、搬送波信号存在信号ＰＳが存在するかどうかを確定し、決定手段２７は、搬送波信号存在信号ＰＳが存在しているときは第１のアクティベーション信号ＡＳ１を送信し、そうでない場合、すなわち、搬送波信号存在信号ＰＳが存在していないときは、第２のアクティベーション信号ＡＳ２を送信する。受動通信モードに従って設定されている読取局４０の場合、コマンド終了信号ＣＥＳが送信された後、搬送波信号存在信号ＰＳが存在し、決定手段２７は、第１のアクティベーション信号ＡＳ１を切り替え要素３０および電源切り替え要素３５に送信する。電源切り替え要素３５は、第１のアクティベーション信号ＡＳ１に基づいて、ＤＣ電圧生成手段３４によって送出されるべき、回路４に供給する電圧に切り替えるよう設計されている。したがって回路４は、受動通信モードに切り替えられ、電源は、読取信号ＲＳに応じて適用され、有利には、蓄電池３７によって提供される装置自体の限られた電源が保護される。
【００４３】
次に、通信システム３９ｂが示されている図３に基づいて、こうしたＮＦＣ装置のさらに有利な使用について説明される。この場合、地下鉄内のＰＤＡのユーザは、以下簡潔にするためにポスターと呼ばれるイベントの広告ビラに気付くと想定される。ポスターは、図３に示すようなタグ４１を有し、このタグ４１は、ポスターに宣伝されているイベントについてのイベント情報を含んでおり、受動通信モードで通信するように設計されている。こうしたタグは、当業者にはよく知られているため、本明細書ではこれ以上説明されない。また、図３には、図１に従って、読取局３として指定されているＰＤＡの一部分も示されている。この場合、読取局３は、タグ４１からイベント情報を読み出すために使用される。この場合キーボードなど、ここではそれ以上詳細に示されてはいないＰＤＡの入力手段を介して、読取局３は、イニシエータとしてアクティべートされ、いろいろな状況のために、蓄電池１９は、回路５に電源を提供するためにアクティべートされる。ＰＤＡまたは読取局３は、ここで、ポスターの近くに運ばれ、したがってタグ４１は、読取局３の通信エリアＣＡに入る。図３による読取局３は、応答信号検出器４２も有しており、これらの応答信号検出器４２は、中央処理ユニット７を用いて実現される。応答信号検出器４２は、受信信号処理手段１３に接続され、もう１つの通信パートナ機器によって送信される応答信号ＴＳの検出のために提供され、応答信号検出器４２によって応答信号ＴＳが検出されると、切り替え信号ＵＳを生成することができ、切り替え信号ＵＳは、アレンジ手段９に送信され得る。ここで、アレンジ手段９は、生成された切り替え信号ＵＳに応じて通信モードを設定するよう自動的に設計される。
【００４４】
この場合、読取局３が能動通信モードのプロトコルに従って開始する場合、タグ４１は、応答信号ＴＳを発することなく、したがって、応答信号ＴＳは、読取局３で受信されず、処理されない。引き続き、応答信号検出器４２を用いて、切り替え信号ＵＳが生成され、アレンジ手段９に送信されると、読取局３は、タグ４１と通信するのに適した受動通信モードに切り替わる。ここでイベント情報は、従来通りタグ４１から読み出し、次いでさらに使用するために局記憶媒体８に格納することができる。
【００４５】
次に、図１に基づいて、こうしたさらなる使用について説明される。この場合、ＰＤＡのユーザは、友人の興味を上記のイベントにひきつけ、イベント情報をその友人に伝えることを望んでいると仮定される。これは、上記の携帯用電話によって行われることである。このため、読取局３のＰＤＡまたは局記憶媒体８に格納されているイベント情報は、携帯電話に送信される。ＰＤＡまたは読取局３は、上述したように、入力手段によってアクティベートすることができる、イニシエータの役割を引き受ける。データ・キャリア２が含まれる携帯電話は、通信エリアＣＡに運ばれる。図２との関連ですでに言及したように、データ・キャリア２では、電源切り替え要素３５は、最初に、ＤＣ電圧生成手段３４によって送出され得る電圧が回路４に供給するよう働くように設計される。蓄電池３７による電力供給のために、読取局３は、まず第一に、能動通信モードで作動される。次に、図４に基づいて、その後の通信シーケンスが説明される。
【００４６】
図４に示されるように、搬送波信号ＲＳは、第１の時点ｔ１以降、生成され、次いで読取信号ＲＳ’として送信される。第２の時点ｔ２から第３の時点ｔ３に、読取局３の生成器１０において、コマンド信号ＣＯＭが生成され、搬送波信号ＲＳとともに変調された信号として発せられる。第１の制御要素１１が、生成されたコマンド信号ＣＯＭの終了を表す読取局３のコマンド終了信号ＣＥＳを第２制御要素１２に送信すると、第２の制御要素１２は、各コマンド終了信号の出現後のある期間ＴＰＲ後、搬送波信号ＲＳが生成手段１５における読取局３のコマンド終了信号ＣＥＳによってオフに切り替えられ、またはもはや生成されないという状況を開始し、その結果、読取信号ＲＳ’はデータ・キャリア２に送信されない。期間ＴＰＲは、この場合、搬送波信号または読取信号ＲＳの３０回の振動の期間に相当する。期間ＴＰＲを、例えば搬送波信号の６０回または９０回の振動など、より大きくしたり、例えば搬送波信号のわずか１０回または２０回の振動など、より小さくしたりすることができることに言及され得る。ここで重要なことは、検出器３２は、搬送波信号ＲＳ’が存在しているかもはや存在していないか、またはオフに切り替えられたかを安全かつ確実に認識することができるほど十分な時間を有することである。
【００４７】
搬送波信号ＲＳのオフは、図４によれば、第４の時点ｔ４で行われる。読取信号ＲＳ’の送信を中断する中断要素は、変調要素１６と送信手段１８との間に配列することができ、これらの中断要素は、次いで中断のために第２の制御要素１２によってアクティベートすることができることに言及され得る。
【００４８】
すでに言及したように、データ・キャリア２の検出器３２は、受信搬送波信号ＲＳの存在を検出するように設計されている。検出器３２は、さらに、搬送波信号ＲＳが存在している場合、搬送波信号存在信号ＰＳを発し、または送信し、そうでない場合は、搬送波信号不在信号ＮＰＳを発し、または送信するように設計されている。この場合、図４に搬送波信号存在信号ＰＳの時間に依存する挙動が示されており、こうした搬送波信号存在信号ＰＳは、もはや第４の時点ｔ４以降送信されない。さらに、データ・キャリア２のコマンド信号認識手段２５は、搬送波信号ＲＳを用いて送信され得るコマンド信号を認識し、送信コマンド信号の終了を表すコマンド終了信号ＣＥＳを発するように設計されている。図４には、この場合のデータ・キャリア２のコマンド終了信号ＣＥＳの時間に依存する挙動が示されており、第３の時点ｔ３以降、すなわち読取局３によって送信されたコマンド信号ＣＯＭの終了後、コマンド終了信号ＣＥＳが短いパルスとして示されている。期間ＤＴＰ後、コマンド終了信号ＣＥＳによってトリガされる決定手段２７において、コマンド終了信号ＣＥＳの出現後、ある測定時点で、この場合有効期限ＤＴＰ後の第５の時点ｔ５で、搬送波信号存在信号ＰＳが存在しているかどうかが確定される。この場合、期間ＤＴＰは、搬送波信号ＲＳの６０回の振動または期間の間続く。期間ＤＲＰは、例えば期間ＴＰＲの期間の３倍または４倍など、異なる期間とすることができることに言及され得る。この状況によれば、決定手段２７は、第５の時点ｔ５で、搬送波信号存在信号ＰＳが存在しないため、第２のアクティベーション信号ＡＳ２を送信する。その後、第２のアクティベーション信号ＡＳ２を用いて、回路４は、アクティベータを用いて第２の通信モード、すなわちこの場合は能動通信モードにされ、このために、電源切り替え要素３５は、回路４の電源が蓄電池３７によって提供されるように制御され、第１の切り替え要素３０は、よく知られているようにデータ搬送波信号ＴＳを生成する搬送波信号が発振器２９によって、データ・キャリア２の変調要素３１に送信され得るように制御される。
【００４９】
こうしたタグ４１を読み出すために、上記のＰＤＡの代わりに上記の携帯電話を使用することができ、次いでイベント情報をＰＤＡに送信することができ、この過程で、携帯電話は、読取局３の役割を担うことができることに言及され得る。
【００５０】
さらに、携帯電話またはＰＤＡの代わりに、例えばラップトップ、時計、デジタル・カメラ、カムコーダなど、他の装置をＮＦＣ装置として設計することができることに言及されるべきである。したがって、例えば、ＮＦＣとして設計されたこうした時計で、上述したイベント情報のタイプがポーリングされ、その後、例えば予約管理のために、このイベント情報がラップトップに運ばれ得る場合がある。ラップトップは、任意選択で電源網に接続される、または蓄電池により電源とは関係なく作動されることができる。ラップトップの電気または電源の状況に応じて、上述したように、対応する通信を、受動通信モードまたは能動通信モードで開始することができる。
【００５１】
さらに、読取信号ＲＳ’およびデータ搬送波信号ＴＳは、例えば１２５ｋＨｚの周波数で、別の周波数範囲内にあることができることに言及されるべきである。
【００５２】
さらに、設定された通信モードに応じて搬送波信号ＲＳの信号強度に影響を与える影響手段を、読取局３および／またはデータ・キャリア２に設けることができることに言及されるべきである。したがって、影響手段は、例えば、能動通信モードで、低磁界強度で読取信号ＲＳ’が送信されるように設計することができ、それにより、能動通信モードの場合に使用される装置自体の電源が保護され得る。
【図面の簡単な説明】
【００５３】
【図１】本発明による回路をそれぞれ含む、現在の接続において重要な本発明による通信パートナ機器の一部分を示す概略ブロック図である。
【図２】入場監視通信システムにおける本発明による通信パートナ機器の配置を示す図である。
【図３】別の通信システムにおける本発明による通信パートナ機器の配置を示す図である。
【図４】通信パートナ機器間で送信されるコマンドおよび信号を示す概略図である。
【図１】
2007517423.tif 000003
【図２】
2007517423.tif 000004
【図３】
2007517423.tif 000005
【図４】
2007517423.tif 000006